(57)【要約】【課題】本発明は、テレビ機能とメール機能とを同時に起動して、テレビ画面とメール画面とを同時に表示しているときに、テレビ放送番組に関する情報を、メール機能で使用できるようにすることで、キー入力効率を向上させることができる電子機器を提供する。【解決手段】テレビ画面とメール画面とを同時に表示する表示手段と、テレビ画面とメール画面とが同時に表示されている際に、前記メール画面において文字の入力を受け付ける第１の受付手段（Ｓ６０１）と、テレビ画面により表示されているテレビ番組に関する情報を取得する取得手段（Ｓ６１３、Ｓ６１５）と、取得された情報を、受け付けられた文字の変換候補としてメール画面に提示する提示手段（Ｓ６０５）と、を備えた。【選択図】  図１３
2010226490.tif 000002
【特許請求の範囲】
【請求項１】
テレビ画面とメール画面とを同時に表示する表示手段と、
前記表示手段によりテレビ画面とメール画面とが同時に表示されている際に、前記メール画面において文字の入力を受け付ける第１の受付手段と、
前記テレビ画面により表示されているテレビ番組に関する情報を取得する取得手段と、
前記取得手段により取得された情報を、前記第１の受付手段により受け付けられた文字の変換候補として前記メール画面に提示する提示手段と、
を備えたことを特徴とする電子機器。
【請求項２】
前記表示手段によりテレビ画面とメール画面とが同時に表示されている間、前記テレビ画面において表示されている番組に関する情報を記憶する第１の記憶手段を備え、
前記取得手段は、前記第１の記憶手段により記憶されたテレビ番組に関する情報を取得することを特徴とする請求項１記載の電子機器。
【請求項３】
前記テレビ画面に表示されているテレビ番組に関する情報が変更されたか否かを判断する判断手段を備え、
前記第１の記憶手段は、前記判断手段により変更されたものと判断された場合に、前記テレビ番組に関する情報を更新することを特徴とする請求項２記載の電子機器。
【請求項４】
前記取得手段は、前記テレビ画面により表示されているテレビ番組の字幕情報を取得することを特徴とする請求項１記載の電子機器。
【請求項５】
前記取得手段により取得された情報から単語を抽出する抽出手段と、
複数の単語が読み仮名に対応付けられて記憶された第２の記憶手段と、
前記抽出手段により抽出された単語に基づいて、前記第２の記憶手段からこの単語の読み仮名を取得して、前記抽出手段により抽出された単語に対してこの読み仮名を付加する付加手段と、を備え
前記提示手段は、前記第１の受付手段により受け付けられた文字、及び、前記付加手段により付加された読み仮名に基づいて、変換候補を提示することを特徴とする請求項１記載の電子機器。
【請求項６】
前記取得手段により取得された情報を提示して、この情報のうちの切り取り範囲の入力を受け付ける第２の受付手段と、
前記取得手段により取得された情報から、前記第２の受付手段により受け付けられた切り取り範囲に基づいて所定範囲切り取って、前記メール画面にて作成されているメール情報に設定する第１の設定手段と、を備えたことを特徴とする請求項１記載の電子機器。
【請求項７】
前記表示手段によりテレビ画面のみが表示されている際に、前記メール画面の表示の指示を受け付ける第３の受付手段と、
前記第３の受付手段により前記メール画面の表示の指示が受け付けられた場合、前記テレビ画面により表示されているテレビ番組に関する情報をメール情報に設定して、前記メール画面を起動する起動手段と、を備えたことを特徴とする請求項１記載の電子機器。
【請求項８】
前記取得手段は、前記テレビ画面により表示されているテレビ番組に関する情報を取得する際、このときのテレビ画面の画像を併せて取得するとともに、
前記提示手段により提示された変換候補が選択された場合、この選択された変換候補に基づいて、前記取得手段により取得されたテレビ画面の画像情報をメール情報に設定する第２の設定手段を備えたことを特徴とする請求項１記載の電子機器。
【発明の詳細な説明】
【技術分野】
【０００１】
本発明は、視聴中のテレビ放送番組に関する情報を、メール機能で引用することができる電子機器に関する。
【背景技術】
【０００２】
近年、携帯電話機等の電子機器が広く普及し、これらの電子機器を用いたメールの送受信が日常的に行われるようになった。これらの電子機器は、ユーザが文字を入力した際にこの文字に対する変換候補を提示する入力予測機能を備えている。この入力予測機能は、予め変換候補の辞書が記憶された記憶装置を備えておくことで、入力された文字でこの記憶装置を検索することにより変換候補を提示する。例えば「き」の文字が入力された場合には、「今日」、「機能」等の「き」で始まる単語が変換候補として提示される。
【０００３】
また、携帯電話機等の小型の電子機器における入力インタフェースには機能やサイズに制限があるため、ユーザが少ない操作で多くの情報を入力できることが望ましい。そこで、例えばユーザが入力する文字列を、少ない操作回数で入力することができる文字列入力装置が提案されている（特許文献１参照）。この文字列入力装置は、放送もしくはネットワークからコンテンツを取得するコンテンツ取得手段と、コンテンツに含まれる文字列を抽出する文字情報抽出手段と、文字情報抽出手段が抽出した文字列を記憶する辞書記憶手段と、辞書記憶手段に記憶されている文字列の全部又は一部を候補文字列として表示する候補表示手段と、候補表示手段が表示した候補文字列のいずれかを入力確定文字列として決定する文字列決定手段とを有するものである。
【先行技術文献】
【特許文献】
【０００４】
【特許文献１】特開２００７−１１４９３２号公報
【発明の概要】
【発明が解決しようとする課題】
【０００５】
近年、テレビ視聴機能とメール機能とを搭載するとともに、テレビ画面とメール画面とを同時並列的に表示する機能を備えた携帯電話機が開発されている。このような携帯電話機では、テレビ放送番組を視聴しながらメール本文の作成を行う際に、ユーザが、視聴中のテレビ放送番組に興味を示し、その内容をメールにて送信したい場合においても、その内容が、文字入力の際の予測変換候補に登録されていない場合には、手動でその内容を入力する必要があった。
【０００６】
通常、テレビ放送番組で放送される情報はユーザにより日常的に使用される情報ではなく、入力の際の予測変換候補として高順位に提示されない情報である場合が多いが、テレビ画面とメール画面とが同時並列的に表示されているときには、ユーザが入力する可能性が高い場面が多いと考えられる。
【０００７】
本発明は、上記課題を鑑みなされてものであり、テレビ機能とメール機能とを同時に起動して、テレビ画面とメール画面とを同時に表示しているときに、テレビ放送番組に関する情報を、メール機能で使用できるようにすることで、キー入力効率を向上させることができる電子機器を提供することを目的とする。
【課題を解決するための手段】
【０００８】
上記課題を解決するために、本発明に係る電子機器は、テレビ画面とメール画面とを同時に表示する表示手段と、前記表示手段によりテレビ画面とメール画面とが同時に表示されている際に、前記メール画面において文字の入力を受け付ける第１の受付手段と、前記テレビ画面により表示されているテレビ番組に関する情報を取得する取得手段と、前記取得手段により取得された情報を、前記第１の受付手段により受け付けられた文字の変換候補として前記メール画面に提示する提示手段と、を備えたことを特徴とする。
【発明の効果】
【０００９】
本発明に係る電子機器によると、テレビ機能とメール機能とを同時に起動して、テレビ画面とメール画面とを同時に表示しているときに、テレビ放送番組に関する情報を、メール機能で使用できるようにすることで、キー入力効率を向上させることが可能となる。
【図面の簡単な説明】
【００１０】
【図１】（Ａ）は、本発明に係る電子機器（携帯電話機）の開いた状態を示す正面図、（Ｂ）は、本発明に係る電子機器（携帯電話機）の開いた状態を示す側面図。
【図２】（Ａ）は、本発明に係る電子機器（携帯電話機）の閉じた状態を示す正面図、（Ｂ）は、本発明に係る電子機器（携帯電話機）の閉じた状態を示す側面図。
【図３】本発明に係る電子機器（携帯電話機）の機能ブロック図。
【図４】第１実施形態の携帯電話機においてテレビ視聴機能とメール機能とを同時に起動していて、テレビ画面とメール画面とを同時に表示している状態を示す画面図。
【図５】番組情報の一例を示すデータ構成図。
【図６】第１実施形態の携帯電話機がメール作成処理を行う際の手順を示すフローチャート。
【図７】字幕情報の一例を示すデータ構成図。
【図８】第１実施形態の携帯電話機がテレビ視聴処理を行う際の手順を示すフローチャート。
【図９】第１実施形態の携帯電話機が番組情報更新処理を行う際の手順を示すフローチャート。
【図１０】第１実施形態の携帯電話機がテレビ単語登録処理を行う際の手順を示すフローチャート。
【図１１】単語情報と読み仮名情報との対応付けの一例を示すデータ構成図。
【図１２】第１実施形態の携帯電話機が字幕更新処理を行う際の手順を示すフローチャート。
【図１３】第１実施形態の携帯電話機が予約入力処理を行う際の手順を示すフローチャート。
【図１４】（Ａ）乃至（Ｃ）は、第１実施形態の携帯電話機が予約入力処理を行う際に表示される画面を示す画面図。
【図１５】第１実施形態の携帯電話機がテレビ情報タブ表示処理を行う際の手順を示すフローチャート。
【図１６】第１実施形態の携帯電話機がテレビ情報タブ表示処理を行う際に表示される画面を示す画面図。
【図１７】第１実施形態の携帯電話機がテレビ情報タブ表示処理を行う際の手順を示すフローチャート。
【図１８】（Ａ）及び（Ｂ）は、第１実施形態の携帯電話機がテレビ情報タブ表示処理を行う際に表示される画面を示す画面図。
【図１９】第１実施形態の携帯電話機がテレビ情報タブ表示処理を行う際の手順を示すフローチャート。
【図２０】（Ａ）乃至（Ｄ）は、第１実施形態の携帯電話機がテレビ情報タブ表示処理を行う際に表示される画面を示す画面図。
【図２１】第２実施形態の携帯電話機がテレビ画像登録処理を行う際の手順を示すフローチャート。
【図２２】第２実施形態の携帯電話機がテレビ画像選択処理を行う際の手順を示すフローチャート。
【図２３】（Ａ）及び（Ｂ）は、第２実施形態の携帯電話機がテレビ画像選択処理を行う際に表示される画面を示す画面図。
【図２４】（Ａ）及び（Ｂ）は、第２実施形態の携帯電話機が字幕情報をテキストファイルとしてメールに添付する際に表示される画面を示す画面図。
【発明を実施するための形態】
【００１１】
〔第１実施形態〕
本発明に係る電子機器の第１実施形態について、図１乃至図２０を参照しながら説明する。第１実施形態の電子機器として、複数の筐体が開閉自在に結合されてなるクラムシェル型の携帯電話機１を例に挙げて説明する。図１（Ａ）は、携帯電話機１の開いた状態を示す正面図、図１（Ｂ）は、本発明に係る携帯電話機１の開いた状態を示す側面図、図２（Ａ）は、携帯電話機１の閉じた状態を示す正面図、図２（Ｂ）は、携帯電話機１の閉じた状態を示す側面図である。
【００１２】
携帯電話機１は、図１及び図２に示すように、主に、矩形の板状の上筐体１０と、この上筐体１０とほぼ同形状をした下筐体１１とにより構成されていて、これらの上筐体１０及び下筐体１１は、閉じた状態において相互に一面を覆うように積層されている。上筐体１０及び下筐体１１は、ヒンジ部１２を挟むようにヒンジ結合されていて、上筐体１０は下筐体１１に対して、ヒンジ部１２を軸にして、図１のＸ方向に所定角度だけ回転自在なように形成されている。携帯電話機１は、上筐体１０を下筐体１１に対して回転させることにより、閉じた状態から開いた状態に、あるいは開いた状態から閉じた状態に変形する。
【００１３】
上筐体１０の内面（下筐体１１に対面する側の面）には、文字や画像等を含んだ表示情報を表示するためのディスプレイ１３が設けられている。ディスプレイ１３は、例えば液晶ディスプレイや有機ＥＬ（Ｅｌｅｃｔｒｏ−Ｌｕｍｉｎｅｓｃｅｎｃｅ）ディスプレイで形成されている。また、上筐体１０の内面には、音声を出力するスピーカ１４が設けられている。
【００１４】
下筐体１１の内面（上筐体１０に対面する側の面）には、例えば、電源のＯＮ／ＯＦＦを切り替えるための電源キーや発呼処理を行うための発呼キー、数字や文字を入力するためのテンキー、メール機能やＷｅｂ機能を起動するためのショートカットキー等からなる操作キー１５が設けられている。また下筐体１１の内面には、音声を集音するためのマイクロフォン１６が設けられている。
【００１５】
次に、携帯電話機１の機能について、図３に示す機能ブロック図を用いて説明する。携帯電話機１は、図３に示すように、主制御部２０、電源回路部２１、表示制御部２２、記憶部２３、外部メモリ接続部２４、音声制御部２５、通信制御部２６、テレビ受信部２７、映像再生制御部２８、及びタイマー部２９を備えていて、これらはバスＢによって相互に通信可能に接続されている。
【００１６】
主制御部２０は、様々なデータ処理や演算を行うＣＰＵ（Ｃｅｎｔｒａｌ  Ｐｒｏｃｅｓｓｉｎｇ  Ｕｎｉｔ）を具備し、携帯電話機１の総括的な制御を行うとともに、後述するメール作成処理やテレビ視聴処理等や、その他の様々な処理を行う。また主制御部２０は、操作キー１５に対する入力インタフェースを備え、操作キー１５が有するいずれかのキーが押下された際に、この押下されたキーに対応付けられた様々な処理を行う。さらに主制御部２０は、例えばＲＴＣ（Ｒｅａｌ  Ｔｉｍｅ  Ｃｌｏｃｋ）回路を用いて計時する内蔵時計を備えていて、現在時刻を常時計時している。
【００１７】
電源回路部２１は、ユーザによる操作キー１５を介した入力に基づいて電源のＯＮ／ＯＦＦ状態を切り替え、電源がＯＮ状態の場合には電力供給源（バッテリ等）から各部に対して電力を供給して、携帯電話機１を動作可能にする。表示制御部２２は、ディスプレイ１３の表示インタフェースを備え、主制御部２０の制御に基づいて、メール作成画面やテレビ視聴画面等の様々な表示情報をディスプレイ１３に表示する。
【００１８】
記憶部２３は、主制御部２０が処理を行う際に使用するデータを一時的に記憶するＲＡＭ（Ｒａｎｄｏｍ  Ａｃｃｅｓｓ  Ｍｅｍｏｒｙ）、主制御部２０が行う処理の処理プログラム等を格納するＲＯＭ（Ｒｅａｄ  Ｏｎｌｙ  Ｍｅｍｏｒｙ）、ハードディスク、不揮発性メモリ等の記憶装置を具備する。主制御部２０が後述するメール作成処理やテレビ視聴処理等を行う際の処理プログラムは、例えばＲＯＭに記憶されている。
【００１９】
外部メモリ接続部２４は、例えばＳＤ（Ｓｅｃｕｒｅ  Ｄｉｇｉｔａｌ）カード（登録商標）やＵＳＢ（Ｕｎｉｖｅｒｓａｌ  Ｓｅｒｉａｌ  Ｂｕｓ）メモリ等の外部メモリＭに対する入出力インタフェースを備え、外部メモリＭが携帯電話機１に電気的に接続された際に、この外部メモリＭに対してデータの書き込み処理や読み込み処理を行う。
【００２０】
音声制御部２５は、主制御部２０の制御に基づいて、マイクロフォン１６で集音した音声からアナログ音声信号を生成し、このアナログ音声信号をデジタル音声信号に変換する。また音声制御部２５は、デジタル音声信号を取得すると、主制御部２０の制御に基づいて、このデジタル音声信号をアナログ音声信号に変換し、スピーカ１４から音声として出力する。
【００２１】
通信制御部２６は、主制御部２０の制御に基づいて、アンテナ２６ａを介して受信した受信信号をスペクトラム逆拡散処理してデータを復元する。このデータは、主制御部２０の指示により、ディスプレイ１３に表示されたり記憶部２３に記録されたりする。また通信制御部２６は、主制御部２０の制御に基づいて、操作キー１５を介して入力されたデータや記憶部２４に記憶されたデータに対してスペクトラム拡散処理を行い、アンテナ２６ａを介して送信する。
【００２２】
地デジ受信部２７は、チューナ２７ａ、アンテナ２７ｂ、復調部２７ｃ、ＴＳデコーダ２７ｄ、字幕デコーダ２８ｅを備えている。チューナ２７ａは、地上波デジタル放送の放送局（図示せず）から放送された地上波デジタル放送（地上波デジタルワンセグ放送も含む）の変調波ａを、アンテナ２７ｂを介して受信する。復調部２７ｃは、チューナ２７ａが受信した変調波ａを取得して復調し、地上波デジタル放送の符号化映像情報ｂを生成する。ＴＳデコーダ２７ｄは、復調部２７ｃが生成した符号化映像情報ｂを取得して復号し、符号化映像情報ｂのうちの音声情報ｃを音声制御部２５または記憶部２３へ伝送するとともに、符号化映像情報ｂのうちの動画像情報ｄを映像再生制御部２８または記憶部２３に、符号化映像情報ｂのうちの文字情報ｅを字幕デコーダ２７ｅまたは記憶部２３に伝送する。
【００２３】
音声情報ｃを受信した音声制御部２５は、この音声情報ｃをスピーカ１４から音声として出力する。動画像情報ｄを受信した映像再生制御部２８は、この動画像情報ｄを表示制御部２２を介してディスプレイ１３に表示する。文字情報ｅを受信した字幕デコーダ２７ｅは、この文字情報ｅから字幕情報ｆを生成して、表示制御部２２または記憶部２３に伝送する。
【００２４】
映像再生制御部２８は、地デジ受信部２７により受信された地上波デジタル放送の動画像情報ｄや記憶部２４に記憶されている動画像情報ｄを取得すると、これらの動画像情報ｄを表示制御部２２を介してディスプレイ１３に表示する。また映像再生制御部２８は、主制御部２０の制御に基づいて、ディスプレイ１３に表示されている画面を画像ファイル（キャプチャ画像）ｇとして記憶部２６に記憶する（キャプチャする）。
【００２５】
タイマー部２９は、主制御部２０の指示に基づいて、所定時間の経過を通知するタイマー処理を行う。タイマー部２９は、主制御部２０からタイマー開始指示を受信すると、このタイマー開始指示に基づいて所定時間（タイマー時間）の計時を開始し、所定時間が経過した際に、主制御部２０にタイマー終了通知を送信する。
【００２６】
携帯電話機１は、複数のアプリケーションプログラムを同時に実行して、各々のアプリケーションプログラムにより生成されている複数の画面を同時に表示する機能を備えている。例えば図４に示すように、テレビ機能とメール機能とが同時に起動されているときに、携帯電話機１は、ディスプレイ１３の表示画面３０に、テレビ画面３１とメール画面３２との双方の画面を同時に表示することができる。
【００２７】
携帯電話機１は、テレビ画面３１とメール画面３２を同時に表示している間、メール画面における入力予測の候補に、その時に視聴しているテレビ放送番組の情報を反映させることができる。テレビ番組の情報とは、図５に示すように、例えば地上波デジタル放送の放送情報から取得できる番組名や放送局名、チャネル、放送地域、番組説明、及び、文字情報のストリームから取得できる字幕情報等である。ユーザが、視聴中のテレビ放送番組に関する情報をメール画面３２に入力させたい場合に、変換候補から選択することで簡単に入力することができる。なお、視聴中のテレビ放送番組が字幕情報を含んでいない場合には、携帯電話機１において音声認識をして放送音声を文字列化して字幕情報と同様の扱いにしても良い。
【００２８】
まず、携帯電話機１がテレビ視聴中にメールの作成を開始した場合に、視聴中のテレビ放送番組に関する情報をメール画面３２に入力させるために、視聴中のテレビ放送番組の情報をメールの本文やタイトルの入力予測の候補として記憶部２３に記憶する処理を行う手順について、図６に示すフローチャートに基づいて説明する。以下、例えば「ステップＳ１０１」を「Ｓ１０１」のように、「ステップ」の語句を省略して説明する。
【００２９】
始めに主制御部２０は、ユーザによる操作キー１５を介した指示（例えばメール機能を起動するためのショートカットキーの押下）に基づいて、ディスプレイ１３にメール画面３２を表示する（Ｓ１０１）。ユーザは、このメール画面３２に従って、操作キー１５を用いてメールの送信先やタイトル、本文を入力する。
【００３０】
主制御部２０は、ステップＳ１０１にて表示されたメール画面３２が、図４に示すような、テレビ画面３１との同時表示であるか否かを判断する（Ｓ１０３）。テレビ画面３１との同時表示である場合（Ｓ１０３のＹｅｓ）は、主制御部２０は、視聴中のテレビ放送番組の字幕情報４１がメール画面３２に入力されることを考慮して、テレビ視聴機能において、字幕処理が動作中であるか否かを判断する（Ｓ１０５）。
【００３１】
携帯電話機１においてテレビ視聴機能を起動しているときに、ユーザの指示に基づいて、またはテレビ放送番組の内容に応じて、字幕動作を行っている場合と行っていない場合とがある。字幕処理が動作中でなかった場合（Ｓ１０５のＮｏ）には、主制御部２０は、字幕情報に含まれる単語を入力予測変換の候補に追加するために、字幕処理を起動する（Ｓ１０７）。
【００３２】
主制御部２０は、視聴中のテレビ放送番組の番組情報４０を記憶部２３に記憶する（Ｓ１０９）。番組情報４０は、例えば図５に示すように、番組名「今日のお料理」、放送局名「ラララ放送局」、チャネル「２０」、放送地域「東京」、番組説明「料理を紹介する番組」等の情報を含んでいる。この番組情報４０は、視聴中のテレビ放送番組が切り替わった場合等に、上書きされる。
【００３３】
主制御部２０は、視聴中のテレビ放送番組の字幕情報４１を記憶部２３に記憶する（Ｓ１１１）。字幕情報４１は、例えば図７に示すように、現在表示中の「今日の料理は麻婆豆腐です」、直前に表示された「今日のゲストは料理研究家のＡ太郎さんです」や「料理の時間になりました！」等の情報を含んでいる。この字幕情報４１は、表示されている字幕が切り替わるたびに、切り替わった字幕が追加されるようにして記憶される。
【００３４】
次に主制御部２０は、メール作成が終了したか否かを判断する（Ｓ１１３）。この際、例えば所定の操作キー１５の入力によりメールが送信されたことに基づいて、メール作成が終了したものと判断される。メール作成が終了していない場合（Ｓ１１３のＮｏ）は、ステップＳ１０３に戻って、主制御部２０は、再びステップＳ１０３乃至Ｓ１１３の処理を行い、メール作成が終了するまでこのステップＳ１０３乃至Ｓ１１３の処理を繰り返すことで、記憶部２３に記憶されている番組情報４０及び字幕情報４１を随時更新する。
【００３５】
メール作成が終了した場合（Ｓ１１３のＹｅｓ）は、主制御部２０は、テレビ画面３１と同時表示中であったか否かを判断する（Ｓ１１５）。テレビ画面３１との同時表示中であった場合（Ｓ１１５のＹｅｓ）は、主制御部２０は、ステップＳ１０９にて記憶した番組情報４０を記憶部２３から削除する（Ｓ１１７）。また主制御部２０は、ステップＳ１１１にて記憶した字幕情報４１を記憶部２３から削除する（Ｓ１１９）。
【００３６】
このようにして携帯電話機１は、メール機能が起動された際に、テレビ視聴機能が起動されている場合には、視聴中のテレビ放送番組の番組情報４０や字幕情報４１を記憶部２３に記憶し、メール作成が終了するまでの間、その記憶された番組情報４０や字幕情報４１を随時更新する。これらの番組情報４０や字幕情報４１に含まれる単語は、メール画面３２等で文字が入力された際に、変換候補として表示される。
【００３７】
次に、携帯電話機１がメール作成中にテレビの視聴を開始した場合に、視聴を開始したテレビ放送番組に関する情報をメール画面３２に入力させるために、視聴中のテレビ放送番組の情報をメールの本文やタイトルの入力予測の候補として記憶部２３に記憶する処理を行う手順について、図８に示すフローチャートに基づいて説明する。
【００３８】
始めに主制御部２０は、ユーザによる操作キー１５を介した指示（例えばテレビ視聴機能を起動するためのショートカットキーの押下）に基づいて、ディスプレイ１３にテレビ画面３１を表示する（Ｓ２０１）。
【００３９】
主制御部２０は、ステップＳ２０１にて表示されたテレビ画面３１が、図４に示すような、メール画面３２との同時表示であるか否かを判断する（Ｓ２０３）。メール画面３２との同時表示だった場合（Ｓ２０３のＹｅｓ）は、主制御部２０は、視聴中のテレビ放送番組の字幕情報４１がメール画面３２に入力されることを考慮して、テレビ視聴機能において、字幕処理が動作中であるか否かを判断する（Ｓ２０５）。字幕処理が動作中でなかった場合（Ｓ２０５のＮｏ）には、主制御部２０は、字幕情報に含まれる単語を入力予測変換の候補に追加するために、字幕処理を起動する（Ｓ２０７）。
【００４０】
主制御部２０は、ステップＳ１０９と同様に、視聴中のテレビ放送番組の番組情報４０を記憶部２３に記憶する（Ｓ２０９）。また主制御部２０は、ステップＳ１１１と同様に、視聴中のテレビ放送番組の字幕情報４１を記憶部２３に記憶する（Ｓ２１１）。
【００４１】
次に主制御部２０は、テレビ視聴機能が終了したか否かを判断する（Ｓ２１３）。この際、例えば所定の操作キー１５の入力に基づいて、テレビ視聴機能が終了したものと判断される。テレビ視聴機能が終了していない場合（Ｓ２１３のＮｏ）は、ステップＳ２０３に戻って、主制御部２０は、再びステップＳ２０３乃至Ｓ２１３の処理を行い、テレビ視聴処理が終了するまでこのステップＳ２０３乃至Ｓ２１３の処理を繰り返すことで、記憶部２３に記憶されている番組情報４０及び字幕情報４１を随時更新する。
【００４２】
テレビ視聴機能が終了した場合（Ｓ２１３のＹｅｓ）は、主制御部２０は、メール画面３２と同時表示中であったか否かを判断する（Ｓ２１５）。メール画面３２との同時表示中であった場合（Ｓ２１５のＹｅｓ）は、主制御部２０は、ステップＳ２０９にて記憶した番組情報４０を記憶部２３から削除する（Ｓ２１７）。また主制御部２０は、ステップＳ２１１にて記憶した字幕情報４１を記憶部２３から削除する（Ｓ２１９）。
【００４３】
このようにして携帯電話機１は、テレビ視聴機能が起動された際に、メール機能が起動されている場合には、視聴が開始されたテレビ放送番組の番組情報４０や字幕情報４１を記憶部２３に記憶し、テレビ機能が終了されるまでの間、その記憶された番組情報４０や字幕情報４１を随時更新する。これらの番組情報４０や字幕情報４１に含まれる単語は、メール画面３２等で文字が入力された際に、変換候補として表示される。
【００４４】
次に、携帯電話機１が、テレビ視聴機能とメール機能とを同時表示している最中に、視聴中のテレビ放送番組の番組情報４０に変更があった場合に、記憶部２３に記憶されている番組情報４０を更新する処理を行う手順について、図９に示すフローチャートに基づいて説明する。
【００４５】
始めに主制御部２０は、視聴中のテレビ放送番組の番組名に変更があったか否かを判断する（Ｓ３０１）。例えば、時刻によってテレビ放送番組が切り替わった場合や、ユーザの操作キー１５による操作に基づいてチャネルが切り替わった場合、携帯電話機１が異なる放送地域に移動した場合等に、テレビ放送番組の番組名に変更が生じる。視聴中のテレビ放送番組の番組名に変更があった場合（Ｓ３０１のＹｅｓ）は、主制御部２０は、変更後の番組名を記憶部２３に記憶する（Ｓ３０３）。
【００４６】
また主制御部２０は、ステップＳ３０３にて記憶された番組名に対して、テレビ単語登録処理を行う（Ｓ３０５）。このテレビ単語登録処理の手順について、図１０に示すフローチャートに基づいて説明する。
【００４７】
主制御部２０は、ステップＳ３０３にて記憶された番組名の構文解析を行う（Ｓ４０１）。この際、例えば形態素解析を行って単語を判別して、各々の単語を抽出するようにすると良い。または、「は」、「が」、「で」、「に」等の格助詞に基づいてその直前の名詞を抽出するようにしても良い。
【００４８】
主制御部２０は、ステップＳ４０１にて単語が検出されたか否かを判断する（Ｓ４０３）。単語が検出されなかった場合（Ｓ４０３のＮｏ）は、主制御部２０は、ステップＳ３０３にて記憶された番組名の中に、変換候補としてユーザに対して提示するテレビ単語が存在しないので、テレビ単語を登録せずにテレビ単語登録処理を終了する。
【００４９】
単語が検出された場合（Ｓ４０３のＹｅｓ）は、主制御部２０は、この単語に読み仮名を対応付けるために、ステップＳ４０３にて検出された単語を検索キーとして、通常の変換辞書を検索する（Ｓ４０５）。そして主制御部２０は、ステップＳ４０３にて検出された単語が通常の変換辞書に登録されているか否かを判断する（Ｓ４０７）。
【００５０】
ステップＳ４０３にて検出された単語が通常の変換辞書に登録されていた場合（Ｓ４０７のＹｅｓ）には、主制御部２０は、通常の変換辞書からこの単語の読み仮名を取得して、ステップＳ４０３にて検出された単語に対して読み仮名を対応付ける（Ｓ４０９）。
【００５１】
主制御部２０は、ステップＳ４０１にて構文解析した情報が字幕情報４１であるか否かを判断する（Ｓ４１１）。ステップＳ４０１にてテレビ放送番組の番組名について構文解析を行っている場合は、主制御部２０は、字幕情報４１ではなく番組情報４０であると判断する。
【００５２】
字幕情報４１でなく番組情報であった場合（Ｓ４１１のＮｏ）は、主制御部２０は、番組情報４０に含まれる単語をテレビ単語として記憶部２３に記憶する（Ｓ４１３）。この際、図１１に示すように、ステップＳ４０９にて読み仮名が対応付けられている場合には、単語を示す単語情報４２と読み仮名を示す読み仮名情報４３とがそれぞれ対応付けた状態で記憶され、読み仮名が対応付けられていない場合には、単語情報４２のみが記憶される。
【００５３】
例えば、ステップＳ４０１にて構文解析された文章が番組名「今日の料理」であった場合は、ステップＳ４０３にて「今日」や「料理」の単語が抽出されて、ステップＳ４０９にて「きょう」や「りょうり」の読み仮名が対応付けられ、ステップＳ４１３にて単語「今日」と読み仮名「きょう」とが、また、単語「料理」と読み仮名「りょうり」とが対応付けられて記憶される。
【００５４】
字幕情報４１であった場合（Ｓ４１１のＹｅｓ）は、主制御部２０は、記憶部２３における字幕情報４１を格納するための領域に空き領域があるか否かを判断する（Ｓ４１５）。この際、主制御部２０は、所定値以上の空き領域があった場合に、空き領域があるものと判断する。空き領域がなかった場合（Ｓ４１５のＮｏ）は、主制御部２０は、記憶部２３に記憶されている字幕情報４１を削除する（Ｓ４１７）。この際、記憶されている字幕情報４１のうちの一部を、古いものから順に削除するようにしても、記憶されている全ての字幕情報４１を削除するようにしても良い。
【００５５】
主制御部２０は、字幕情報４１に含まれる単語をテレビ単語として記憶部２３に記憶する（Ｓ４１９）。この際、図１１に示すように、ステップＳ４０９にて読み仮名が対応付けられている場合には、単語を示す単語情報４２と読み仮名を示す読み仮名情報４３とがそれぞれ対応付けた状態で記憶され、読み仮名が対応付けられていない場合には、単語情報４２のみが記憶される。
【００５６】
次に、主制御部２０は、視聴中のテレビ放送番組の放送局名に変更があったか否かを判断する（Ｓ３０７）。例えば、ユーザの操作キー１５による操作に基づいてチャネルが切り替わった場合や、携帯電話機１が異なる放送地域に移動した場合等に、テレビ放送番組の放送局名に変更が生じる。
【００５７】
視聴中のテレビ放送番組の放送局名に変更があった場合（Ｓ３０７のＹｅｓ）は、主制御部２０は、変更後の放送局名を記憶部２３に記憶する（Ｓ３０９）。
【００５８】
また主制御部２０は、ステップＳ３０９にて記憶された放送局名に対して、テレビ単語登録処理を行う（Ｓ３１１）。このテレビ単語登録処理は、ステップＳ３０５の場合と同様であり、図１０に示すステップＳ４０１乃至Ｓ４１９に示す手順で行われる。
【００５９】
例えば、ステップＳ４０１にて構文解析された文章が放送局名「ラララ放送局」であった場合は、ステップＳ４０３にて「ラララ放送局」の単語が抽出されて、図１１に示すように、ステップＳ４１３にて単語「ラララ放送局」が記憶される。
【００６０】
次に、主制御部２０は、視聴中のテレビ放送番組の番組説明に変更があったか否かを判断する（Ｓ３１３）。例えば、時刻によってテレビ放送番組が切り替わった場合や、ユーザの操作キー１５による操作に基づいてチャネルが切り替わった場合、携帯電話機１が異なる放送地域に移動した場合等、テレビ放送番組の番組説明に変更が生じる。
【００６１】
視聴中のテレビ放送番組の番組説明に変更があった場合（Ｓ３１３のＹｅｓ）は、主制御部２０は、変更後の番組説明を記憶部２３に記憶する（Ｓ３１５）。なお、番組名や放送局名や番組説明に加えて、チャネルや放送地域に変更があった場合にも、変更後のチャネルや放送地域を記憶部２３に記憶すると良い。
【００６２】
また主制御部２０は、ステップＳ３１７にて記憶された番組説明に対して、テレビ単語登録処理を行う（Ｓ３１７）。このテレビ単語登録処理は、ステップＳ３０５、Ｓ３１１の場合と同様であり、図１０に示すステップＳ４０１乃至Ｓ４１９に示す手順で行われる。
【００６３】
例えば、ステップＳ４０１にて構文解析された文章が放送局名「料理を紹介する番組」であった場合は、ステップＳ４０３にて「料理」、「紹介」等の単語が抽出されて、図１１に示すように、ステップＳ４１３にて単語「料理」と読み仮名「りょうり」とが、単語「紹介」と読み仮名「しょうかい」とが、それぞれ対応付けられて記憶される。
【００６４】
なお、ステップＳ４０７にて通常の変換辞書から対応する単語が検出されなかった場合に、ステップＳ４０３にて検出された単語の先頭の文字に基づいて、読み仮名を予測するようにしても良い。例えばステップＳ４０３にて「ラララ放送局」の単語が検出された場合に、この単語が通常の変換辞書に載っていない場合であっても、先頭の文字が「ラ」であることに基づいて、図１１に示すように、「ら」の読み仮名を対応付けるようにしても良い。また、抽出された単語の先頭の文字が「山」であった場合には、この単語を訓読みの「やま」または音読みの「さん」に対応付けるようにしても良い。
【００６５】
このようにして携帯電話機１は、テレビ視聴機能とメール機能とが同時に起動されている最中に、ステップＳ４０１乃至Ｓ４１９の処理を定期的に行うことで、視聴中のテレビ放送番組の番組情報４０に変更があった場合に、記憶部２３に記憶されている番組情報４０を随時更新する。
【００６６】
次に、携帯電話機１において、テレビ視聴機能とメール機能とを同時表示している最中に、視聴中のテレビ放送番組の字幕情報４１に変更があるかどうかを監視して、変更があった場合に、記憶部２３に記憶されている字幕情報４１を更新する処理を行う手順について、図１２に示すフローチャートに基づいて説明する。
【００６７】
始めに主制御部２０は、視聴中のテレビ放送番組の字幕情報４１に変更があったか否かを判断する（Ｓ５０１）。字幕情報４１に変更がなかった場合（Ｓ５０１のＮｏ）は、主制御部２０は、記憶部２３に記憶されている字幕情報４１を更新せずに、処理を終了する。
【００６８】
字幕情報４１に変更があった場合（Ｓ５０１のＹｅｓ）は、主制御部２０は、記憶部２３における字幕情報４１を格納するための領域に空き領域があるか否かを判断する（Ｓ５０３）。この際、主制御部２０は、所定値以上の空き領域があった場合に、空き領域があるものと判断する。空き領域がなかった場合（Ｓ５０３のＮｏ）は、主制御部２０は、記憶部２３に記憶されている字幕情報４１を削除する（Ｓ５０５）。この際、記憶されている字幕情報４１のうちの一部を、古いものから順に削除するようにしても、記憶されている全ての字幕情報４１を削除するようにしても良い。
【００６９】
主制御部２０は、変更後の字幕情報４１を記憶部２３に記憶する（Ｓ５０７）。また主制御部２０は、ステップＳ４１９にて記憶された字幕情報４１に対して、テレビ単語登録処理を行う（Ｓ５０９）。このテレビ単語登録処理は、ステップＳ３０５、Ｓ３１１、Ｓ３１９の場合と同様であり、図１０に示すステップＳ４０１乃至Ｓ４１９に示す手順で行われる。
【００７０】
例えば、ステップＳ４０１にて構文解析された文章が字幕情報「今日の料理は麻婆豆腐です」であった場合は、ステップＳ４０３にて「料理」、「麻婆豆腐」等の単語が抽出されて、ステップＳ４０９にて単語「料理」に対して読み仮名「りょうり」が、単語「麻婆豆腐」に対して読み仮名「まーぼーどうふ」がそれぞれ対応付けられ、図１１に示すように、ステップＳ４１３にて単語「料理」と読み仮名「りょうり」とが、単語「麻婆豆腐」と読み仮名「まーぼーどうふ」とが、それぞれ対応付けられて記憶される。
【００７１】
このようにして携帯電話機１は、ステップＳ５０１乃至Ｓ５０９の処理を定期的に繰り返すことで、テレビ視聴機能とメール機能とが同時に起動されている最中に、ステップＳ４０１乃至Ｓ４１９の処理を定期的に行うことで、視聴中のテレビ放送番組の字幕情報４１に変更があった場合に、記憶部２３に記憶されている字幕情報４１を随時更新する。
【００７２】
ここで、携帯電話機１において、テレビ視聴機能とメール機能とを同時表示している最中に、メール作成等のための文字入力があった場合に、ステップＳ１０１乃至Ｓ１１９、ステップＳ２０１乃至Ｓ２１９、ステップＳ３０１乃至Ｓ３１９、ステップＳ５０１乃至Ｓ５０９にて記憶部２３に記憶、更新されたテレビ単語を用いて、ユーザに対してテレビ視聴機能による変換候補を提示する。携帯電話機１がこの予測入力処理を行う手順について、図１３に示すフローチャートに基づいて説明する。
【００７３】
始めに主制御部２０は、メール画面３２において、操作キー１５を介して文字が入力されたか否かを判断する（Ｓ６０１）。文字が入力されていない場合（Ｓ６０１のＮｏ）は、主制御部２０は文字が入力されるまで待機する。文字が入力された場合（Ｓ６０１のＹｅｓ）は、主制御部２０は、テレビ画面３２との同時表示中であるか否かを判断する（Ｓ６０３）。
【００７４】
テレビ画面３２との同時表示中でない場合（Ｓ６０３のＮｏ）は、主制御部２０は、通常の変換辞書による予測変換候補をディスプレイ１３に表示する（Ｓ６０５）。例えば図１４（Ａ）に示すように、ディスプレイ１３の表示画面３０に、テレビ画面３１とメール画面３２とが同時に表示されているときに、メール画面３２の本文入力欄３３に「ま」の文字が入力された場合、変換候補表示欄３４に、通常の変換辞書から抽出された変換候補である「まだ」、「前」、「毎日」等の単語が表示される。
【００７５】
テレビ画面３２との同時表示中である場合（Ｓ６０３のＹｅｓ）は、主制御部２０は、テレビ単語が登録されているか否かを判断する（Ｓ６０７）。この際、主制御部２０は、ステップＳ４１３、Ｓ４１９にて記憶部２３に記憶されたテレビ単語が、記憶部２３に記憶されている場合に、テレビ単語が登録されているものと判断する。テレビ単語が登録されていなかった場合（Ｓ６０７のＮｏ）は、主制御部２０は、ステップＳ６０３のＮｏの場合と同様に、通常の変換辞書による予測変換候補をディスプレイ１３に表示する（Ｓ６０５）。
【００７６】
テレビ単語が登録されていた場合（Ｓ６０７のＹｅｓ）は、主制御部２０は、ステップＳ６０１にて入力された文字に前方一致する予測変換候補を抽出するために、記憶部２３に記憶されているテレビ単語を検索する（Ｓ６０９）。このとき主制御部２０は、単語情報４２に対応付けられている読み仮名情報４３に基づいて検索する。
【００７７】
主制御部２０は、ステップＳ６０９における検索により、変換候補が抽出されたか否かを判断する（Ｓ６１１）。テレビ単語から変換候補が抽出された場合（Ｓ６１１のＹｅｓ）は、抽出されたテレビ単語を入力変換の第１候補とする（Ｓ６１３）。
【００７８】
例えば図１４（Ｂ）に示すように、ディスプレイ１３の表示画面３０に、テレビ画面３１とメール画面３２とが同時に表示されているときに、メール画面３２の本文入力欄３３に「ま」の文字が入力された場合、変換候補表示欄３４に、テレビ辞書から抽出された変換候補である「麻婆豆腐」の単語が第１候補として表示される。
【００７９】
テレビ単語から変換候補が抽出されなかった場合（Ｓ６１１のＮｏ）は、主制御部２０は、最後に記憶部２３に記憶されたテレビ単語を第１候補とする（Ｓ６１５）。例えば図１４（Ｃ）に示すように、ディスプレイ１３の表示画面３０に、テレビ画面３１とメール画面３２とが同時に表示されているときに、メール画面３２の本文入力欄３３に「ま」の文字が入力された場合、最後に記憶部２３に記憶されたテレビ単語が「ラララ放送」であったときには、図１４（Ｃ）に示すように、入力された文字と前方一致していなくても、「ラララ放送」の単語が第１候補として表示される。
【００８０】
そして主制御部２０は、通常の変換辞書による予測変換候補をディスプレイ１３に表示する（Ｓ６０５）。例えば図１４（Ｂ）及び図１４（Ｃ）に示すように、ステップＳ６１３にて第１候補とされたテレビ単語である「麻婆豆腐」、またはステップＳ６１５にて第１次候補とされたテレビ単語である「ラララ放送」の後に、通常の変換辞書から抽出された変換候補である「まだ」、「前」、「毎日」等の単語が表示される。
【００８１】
ユーザは、ステップＳ６１３乃至Ｓ６１５にて変換候補表示欄３４に表示された変換候補の中から、操作キー１５を介していずれかの単語を選択することで、視聴中のテレビ放送番組に関する情報、及び通常の変換辞書に記されている単語を簡単に入力することができる。
【００８２】
このようにして携帯電話機１は、テレビ視聴機能とメール機能とが同時に起動されている最中に、ステップＳ６０１乃至Ｓ６１５の処理を継続的に行うことで、メール画面３２に入力があった場合に、テレビ画面３１において視聴中のテレビ放送番組に関する情報を、その入力の変換候補としてユーザに対して提示する。
【００８３】
携帯電話機１は、テレビ視聴機能とメール機能とを同時表示している最中に、メール作成等のための文字入力があった場合に、ステップＳ１０１乃至Ｓ１１９、ステップＳ２０１乃至Ｓ２１９、ステップＳ３０１乃至Ｓ３１９、ステップＳ５０１乃至Ｓ５０９にて記憶部２３に記憶、更新されたテレビ単語を用いて、ユーザに対してテレビ視聴機能による変換候補を、使用される可能性が高い順に提示する。携帯電話機１がこのＴＶ情報タブ表示処理を行う手順について、図１５に示すフローチャートに基づいて説明する。
【００８４】
なお、図１６（Ａ）に示すように、ディスプレイ１３の表示画面３０には予測変換タブ３５とテレビ情報タブ３６とが表示されていて、文字入力の際に、予測変換タブ３５が選択されている場合には、通常の変換辞書により抽出された単語が予測変換の候補として提示され、テレビ情報タブ３６が選択されている場合には、テレビ単語から抽出された単語が変換候補として提示される。ここではテレビ情報タブ３６が選択されているものとする。
【００８５】
始めに、携帯電話機１はテレビ視聴機能とメール機能とを同時に起動していて、テレビ画面３１とメール画面３２とを同時に表示している。主制御部２０は、メール画面３２において、操作キー１５を介して文字が入力されたか否かを判断する（Ｓ７０１）。文字が入力されていない場合（Ｓ７０１のＮｏ）は、主制御部２０は文字が入力されるまで待機する。文字が入力された場合（Ｓ７０１のＹｅｓ）は、主制御部２０は、候補「Ｎ＝１」、すなわち第１候補とする（Ｓ７０３）。
【００８６】
主制御部２０は、テレビ単語が登録されているか否かを判断する（Ｓ７０５）。この際、主制御部２０は、ステップＳ４１３、Ｓ４１９にて記憶部２３に記憶されたテレビ単語が、記憶部２３に記憶されている場合に、テレビ単語が登録されているものと判断する。テレビ単語が登録されていない場合（Ｓ７０５のＮｏ）は、主制御部２０は、ユーザに対して提示するテレビ単語が存在しないため、変換候補を表示せずに、テレビ情報タブ表示処理を終了する。
【００８７】
テレビ単語が登録されていた場合（Ｓ７０５のＹｅｓ）は、主制御部２０は、ステップＳ７０１にて入力された文字に前方一致する予測変換候補を抽出するために、記憶部２３に記憶されているテレビ単語を検索する（Ｓ７０７）。このとき主制御部２０は、単語情報４２に対応付けられている読み仮名情報４３に基づいて検索する。
【００８８】
主制御部２０は、ステップＳ７０７における検索により、変換候補が抽出されたか否かを判断する（Ｓ７０９）。テレビ単語から変換候補が抽出された場合（Ｓ７０９のＹｅｓ）は、抽出されたテレビ単語を入力変換の第Ｎ候補とする（Ｓ７１１）。すなわち、Ｎ＝１であった場合には、抽出されたテレビ単語が第１候補に設定される。テレビ単語から変換候補が抽出されなかった場合（Ｓ７０９のＮｏ）は、主制御部２０は、最後に記憶部２３に記憶されたテレビ単語を同様に入力変換の第Ｎ候補とする（Ｓ７１３）。
【００８９】
主制御部２０は、ステップＳ７１１またはＳ７１３にて入力変換の候補に設定されたテレビ単語を、次回からの検索対象（ステップＳ７０７における検索対象）から除外する（Ｓ７１５）。そして主制御部２０は、記憶部２３に記憶されている全てのテレビ単語を変換候補に加えたか否か、すなわちステップＳ７１１またはＳ７１３の処理を行ったか否かを判断する（Ｓ７１７）。
【００９０】
全てのテレビ単語を変換候補に加えていない場合（Ｓ７１７のＮｏ）は、主制御部２０は、候補「Ｎ＝Ｎ＋１」とする（Ｓ７１９）。例えばＮ＝１であった場合には、Ｎに１を加算してＮ＝２とする。そしてステップＳ７０７に戻って、主制御部２０は再びステップＳ７０７乃至Ｓ７１７の処理を行う。
【００９１】
全てのテレビ単語を変換候補に加えた場合（Ｓ７１７のＹｅｓ）は、主制御部２０は、ステップＳ７１１またはＳ７１３にて順序付けした順に、テレビ単語を変換候補としてディスプレイ１３に表示する（Ｓ７２１）。例えば、「麻婆豆腐」が第１候補で、「今日」が第２候補で、「料理」が第３候補であった場合は、図１６に示すように、変換候補表示欄３４にテレビ単語が「麻婆豆腐」、「今日」、「料理」の順で表示される。なお、予測変換タブ３５が選択されていた場合には、テレビ単語が登録されているかどうかに関わらず、通常の変換辞書により予測入力が行われる。例えば、図１６（Ｂ）に示すように、「今日は」が変換された後に「え」の文字が入力された場合、通常の変換辞書に基づいて、「駅」、「映画」、「エアコン」などの単語が変換候補として表示される。このとき、例え「ま」の文字が入力されたとしても、テレビ単語「麻婆豆腐」は上位に表示されない。
【００９２】
ユーザは、ステップＳ７２１にて変換候補表示欄３４に表示された変換候補の中から、操作キー１５を介していずれかの単語を選択することで、視聴中のテレビ放送番組に関する情報を簡単に入力することができる。
【００９３】
このようにして携帯電話機１は、テレビ視聴機能とメール機能とが同時に起動されている最中に、ステップＳ７０１乃至Ｓ７２１の処理を継続的に行うことで、メール画面３２に入力があった場合に、視聴中のテレビ放送番組に関する情報の中から抽出されたテレビ単語を、入力が予測される順に並べて、その入力の変換候補としてユーザに対して提示する。
【００９４】
また、携帯電話機１は、テレビ視聴機能とメール機能とを同時表示している最中に、ユーザにより字幕の切り取りの指示があった場合に、ユーザに対してテレビ画面３１に表示されている字幕を提示して、この字幕の一部をメール画面３２で使用できるようにする。携帯電話機１がこのＴＶ情報タブ表示処理を行う手順について、図１７に示すフローチャートに基づいて説明する。
【００９５】
なお、図１８（Ａ）及び図１８（Ｂ）に示すように、ディスプレイ１３の表示画面３０には予測変換タブ３５とテレビ情報タブ３６とが表示されていて、文字入力の際に、予測変換タブ３５が選択されている場合には、通常の変換辞書により抽出された単語が予測変換の候補として提示され、テレビ情報タブ３６が選択されている場合には、テレビ画面３１に表示されている字幕等が変換候補として提示される。
【００９６】
始めに主制御部２０は、メール画面３２において、切り取りが指示されたか否かを判断する（Ｓ８０１）。この際、主制御部２０は、例えば文字入力中にユーザの操作キー１５を介した入力によりテレビ情報タブ３６が選択された場合に、切り取りが指示されたものと判断する。切り取りが指示されていない場合（Ｓ８０１のＮｏ）は、主制御部２０は切り取りが指示されるまで待機する。
【００９７】
切り取りが指示された場合（Ｓ８０１のＹｅｓ）は、主制御部２０は、テレビ画面３１に表示中の字幕情報４１をメール画面３２に表示する（Ｓ８０３）。例えば図１８（Ａ）に示すように、テレビ画面３１に表示されている「今日の料理は麻婆豆腐です」の字幕が、変換候補入力欄３４に表示される。
【００９８】
主制御部２０は、切り取り箇所が選択されたか否かを判断する（Ｓ８０５）。この際、主制御部２０は、ステップＳ８０３にて表示された字幕のうちの一部（例えば切り取り箇所の始点と終点）が、ユーザの操作キー１５を介した入力により選択された場合に、切り取り箇所が選択されたものと判断する。切り取り箇所が選択されていない場合（Ｓ８０５のＮｏ）は、主制御部２０は、切り取り箇所が選択されるまで待機する。
【００９９】
切り取り箇所が選択された場合（Ｓ８０５のＹｅｓ）は、主制御部２０は、ユーザによって選択された切り取り箇所をメール本文に挿入する（Ｓ８０７）。例えば図１８（Ｂ）に示すように、ステップＳ８０３にて変換候補表示欄３４に表示された「今日の料理は麻婆豆腐です」の文章のうちの「麻婆豆腐です」の部分が切り取り箇所として選択された場合には、主制御部２０は、本分入力欄３３にこの「麻婆豆腐です」の部分が挿入される。
【０１００】
このようにして携帯電話機１は、テレビ視聴機能とメール機能とが同時に起動されている最中に、ステップＳ８０１乃至Ｓ８０７の処理を継続的に行うことで、メール画面３２に入力があった場合に、視聴中のテレビ放送番組に関する情報をユーザに対して提示して、その情報のうちユーザにより選択された箇所をメール本文に挿入する。
【０１０１】
また、携帯電話機１は、表示画面３０にテレビ画面３１のみを表示している最中に、ユーザによりテレビ単語の入力または字幕の切り取りの指示があった場合に、ユーザに対して、テレビ単語やテレビ画面３１に表示されている字幕を提示して、テレビ単語や字幕の一部（または全部）をメール画面３２で使用できるようにする。携帯電話機１がこのテレビ情報タブ表示処理を行う手順について、図１９に示すフローチャートに基づいて説明する。
【０１０２】
なお、表示画面３０にテレビ画面３１が表示されているとき、図２０（Ａ）に示すように、この表示画面３０の下部にテレビ情報タブ３６が表示されていて、テレビの視聴中に操作キー１５を介してテレビ情報タブ３６が選択された場合に、テレビ単語や字幕がメール画面３２で使用される。
【０１０３】
始めに主制御部２０は、テレビの視聴中に、テレビ単語の選択または字幕の切り取りが指示されたか否かを判断する（Ｓ９０１）。この際、主制御部２０は、例えばテレビ情報タブ３６が選択されたことに基づいて、テレビ単語の選択または字幕の切り取りが指示されたものと判断する。テレビ単語の選択または字幕の切り取りが指示されていない場合（Ｓ９０１のＮｏ）は、主制御部２０はそのまま待機する。
【０１０４】
テレビ単語の選択または字幕の切り取りが指示された場合（Ｓ９０１のＹｅｓ）は、主制御部２０は、ステップＳ７０３乃至Ｓ７１９に示すテレビ情報タブ表示処理を行い、視聴中のテレビ放送番組の番組情報４０や字幕情報４１等からテレビ単語を抽出する（Ｓ９０３）。
【０１０５】
そして主制御部２０は、ステップＳ９０３にて抽出されたテレビ単語、またはテレビ画面３１に表示中の字幕をユーザに対して提示する（Ｓ９０５）。この際、主制御部２０は、例えば図２０（Ｂ）に示すように、ディスプレイ１３の表示画面３０に、ステップＳ９０３にて抽出された「麻婆豆腐」、「今日」、「料理」等のテレビ単語が表示された入力候補表示欄３７をテレビ画面３１と同時に表示する。または、例えば図２０（Ｃ）に示すように、主制御部２０は、ディスプレイ１３の表示画面３０に、テレビ画面３１に表示されている字幕が表示された入力候補表示欄３７をテレビ画面３１と同時に表示する。
【０１０６】
このとき、ユーザの指示（例えばテレビ情報タブ３６の選択）に基づいて、図２０（Ｂ）に示すテレビ単語の表示と、図２０（Ｃ）に示す字幕の表示とを切り替えられるようにしても良い。また、表示される字幕も、現在表示中の字幕に限定されず、字幕情報４１として記憶部２３に記憶されている字幕を表示しても良い。
【０１０７】
ユーザは、操作キー１５を介して、入力候補表示欄３７に表示されているテレビ単語を選択したり、入力候補表示欄３７に表示されている字幕のうちの一部を切り取ったりして、テレビ画面３１から、メール画面３２に入力したい文字を選択することができる。
【０１０８】
主制御部２０は、ユーザにより入力候補表示欄３７に表示されているテレビ単語のうちの一つが選択されたり、ステップＳ８０５の処理と同様に、入力候補表示欄３７に表示されている字幕のうちの切り取り箇所が選択されたりして、メール画面３２へ入力文字が選択されたか否かを判断する（Ｓ９０７）。メール画面３２への入力文字が選択されていない場合（Ｓ９０７のＮｏ）は、主制御部２０は、入力文字が選択されるまで待機する。
【０１０９】
メール画面３２への入力文字が選択された場合（Ｓ９０７のＹｅｓ）は、主制御部２０は、送信メールの本文に、ステップＳ９０７にて選択された入力文字を設定する（Ｓ９０９）。そして主制御部２０は、このメール画面３２をテレビ画面３１と同時に表示する（Ｓ９１１）。このとき、図２０（Ｄ）に示すように、ディスプレイ１３の表示画面３０には、テレビ画面３１と同時に、ステップＳ９０７にて選択された入力文字が設定された本文入力欄３３を含んだメール画面３２が表示される。
【０１１０】
例えば、テレビを視聴している最中にテレビ単語の選択や字幕からの切り取りが指示され、ステップＳ９０７にて「麻婆豆腐」のテレビ単語が選択された場合や、字幕から「麻婆豆腐」の部分が切り取られた場合には、ステップＳ９１１にて、「麻婆豆腐」の文字が本文に設定されたメール画面３２が、テレビ画面３１と同時に表示される。
【０１１１】
このようにして携帯電話機１は、表示画面３０にテレビ画面３１のみが表示されているときに、ステップＳ９０１乃至Ｓ９１１の処理を継続的に行うことで、ユーザの指示に基づいて、視聴中のテレビ放送番組のテレビ単語や字幕等をユーザに対して提示して、ユーザにより選択されたテレビ単語や切り取られた字幕の一部をメール本文に挿入する。
【０１１２】
なお、第１実施形態として、テレビ視聴機能とメール機能とが同時に起動されていて、視聴中のテレビ放送番組に関する情報をメール機能において使用する例について説明したが、これに限定されず、例えば再生中の音楽に関する情報や閲覧中のＷｅｂページに関する情報などを、文字入力可能な任意の機能で使用できるようにしても良い。
【０１１３】
また、一旦記憶部２３に記憶されたテレビ放送番組に関する情報は、テレビ視聴が終了した後やメール作成が終了した後であっても、そのまま記憶部に記憶されていて、後からユーザが文字入力を行った際に、その機能で使用できるようにしても良い。また、これらのテレビ放送番組に関する情報は、メモ帳やスケジュールの入力等、メール以外の入力予測時に適用しても良い。
【０１１４】
第１実施形態によると、テレビ機能とメール機能とを同時に起動して、テレビ画面とメール画面とを同時に表示しているときに、テレビ放送番組に関する情報を、メール機能で使用できるようにすることで、キー入力効率を向上させることが可能となる。
【０１１５】
〔第２実施形態〕
本発明に係る電子機器の第２実施形態について、図２１乃至図２３を参照しながら説明する。以下、第１実施形態と同一の構成には同一の符号を付し、重複する説明を省略する。第２実施形態の電子機器は、図１及び図２に示すように、第１実施形態の携帯電話機１と同一の構成を備えている。
【０１１６】
また第２実施形態の電子機器は、第１実施形態の携帯電話機１と同様に、図３に示すように、主制御部２０、電源回路部２１、表示制御部２２、記憶部２３、外部メモリ接続部２４、音声制御部２５、通信制御部２６、テレビ受信部２７、映像再生制御部２８、及びタイマー部２９がバスＢによって相互に通信可能に接続されて構成されている。
【０１１７】
第１実施形態では、携帯電話機１がテレビ視聴機能とメール機能とを同時に起動している際に、視聴中のテレビの番組情報４０や字幕情報４１等の文字情報をメール機能において使用する例について説明したが、第２実施形態では、視聴中のテレビの番組情報４０や字幕情報４１に加えて、ディスプレイ１３に表示されている画像を併せてメール機能において使用することができる。
【０１１８】
第２実施形態の携帯電話機１は、テレビ視聴機能とメール機能とを同時に起動している際、ステップＳ４０１乃至Ｓ４１９に示すようなテレビ単語登録処理を行って、テレビ単語を記憶部２３に記憶する際に、表示画面３０に表示されているテレビ画面をキャプチャして、テレビ単語に対応付けて記憶部２３に記憶するテレビ画像登録処理を行う。携帯電話機１がこの文字変換支援処理を行う際の手順について、図２１に示すフローチャートに基づいて説明する。
【０１１９】
始めに主制御部２０は、ステップＳ４０１乃至Ｓ４１９に示すテレビ単語登録処理を行う（Ｓ１００１）。これにより、視聴中のテレビ放送番組の番組情報４０や字幕情報４１に含まれるテレビ単語が抽出されて、記憶部２３に記憶される。
【０１２０】
主制御部２０は、ディスプレイ１３の表示画面３０に、テレビ放送番組の映像が表示されているか否かを判断する（Ｓ１００３）。映像が表示されていた場合（Ｓ１００３のＹｅｓ）は、主制御部２０は、ディスプレイ１３の表示画面３０をキャプチャする、すなわち表示画面３０に基づいて画像ファイル（キャプチャ画像）を作成する（Ｓ１００５）。
【０１２１】
そして主制御部２０は、ステップＳ１００５におけるキャプチャに成功して、視聴中のテレビ放送番組の映像のキャプチャ画像が生成できたか否かを判断する（Ｓ１００７）。キャプチャに成功した場合（Ｓ１００７のＹｅｓ）には、主制御部２０は、ステップＳ４１３またはＳ４１９にて記憶されたテレビ単語に対して、ステップＳ１００５にて生成したキャプチャ画像を対応付けて、記憶部２３に記憶する。
【０１２２】
このようにして携帯電話機１は、テレビ機能とメール機能とが同時に起動されているときに、視聴中のテレビ放送番組の番組情報４０や字幕情報４１を記憶部２３に記憶する際に、その時のテレビ放送番組の映像からキャプチャ画像を生成して、このキャプチャ画像を番組情報４０や字幕情報４１と対応付けて記憶部２３に記憶する。
【０１２３】
次に、携帯電話機１は、テレビ視聴機能とメール機能とを同時に起動している際に、ユーザの指示に基づいて、ステップＳ１００１乃至Ｓ１００７にて記憶部２３に記憶されたテレビ単語がメール画面３２において入力された際に、これに対応付けられたキャプチャ画像を作成メールに添付するテレビ画像選択処理を行う。携帯電話機１がこのテレビ画像選択処理を行う際の手順を、図２２に示すフローチャートに基づいて説明する。
【０１２４】
ユーザは、携帯電話機１でテレビ視聴を行いながらメールを作成している際に、視聴中のテレビ番組に関する情報をメールのタイトルや本文に入力する場合がある。この際、例えば図２３（Ａ）に示すように、変換候補表示欄３４に表示されているテレビ単語である「麻婆豆腐」にカーソルが合っている場合には、テレビ単語「麻婆豆腐」が登録されたときにキャプチャされたキャプチャ画像３８が、例えば変換候補表示欄３４にプレビュー表示される。このキャプチャ画像は、メールの添付ファイルの候補となる。
【０１２５】
そしてユーザによりメールの作成が完了すると、携帯電話機１は、例えば図２３（Ｂ）に示すように、メール画面３２に、作成されたメールの宛先、タイトル、添付ファイル、本文などの情報が表示される。
【０１２６】
まず主制御部２０は、メール作成時に、テレビ単語が選択されたか否かを判断する（Ｓ１１０１）。この際、主制御部２０は、例えばステップＳ６１３またはＳ６１５により変換候補とされたテレビ単語が操作キー１５を介して選択された場合や、ステップＳ７２１にて変換候補として表示されたテレビ単語が操作キー１５を介して選択された場合等に、テレビ単語が選択されたものと判断する。
【０１２７】
メール作成時にテレビ単語が選択された場合（Ｓ１１０１のＹｅｓ）は、主制御部２０は、選択されたテレビ単語に対応付けられたキャプチャ画像が記憶部２３に記憶されているか否かを判断する（Ｓ１１０３）。このテレビ単語に対して、ステップＳ１００９にてキャプチャ画像が記憶されていた場合に、記憶部２３に記憶されているキャプチャ画像を取得する。
【０１２８】
選択されたテレビ単語に対応付けられたキャプチャ画像が記憶部２３に記憶されていた場合（Ｓ１１０３のＹｅｓ）は、主制御部２０は、このキャプチャ画像を記憶部２３から取得する（Ｓ１１０５）。そして主制御部２０は、ステップＳ１１０５にて取得したキャプチャ画像が添付可能であるか否かを判断する（Ｓ１１０７）。この際、例えばキャプチャ画像がメールに添付可能なサイズであった場合等に、添付可能であると判断される。
【０１２９】
キャプチャ画像が添付可能であった場合（Ｓ１１０７のＹｅｓ）は、主制御部２０は、メールにステップＳ１１０５にて取得したキャプチャ画像を添付する（Ｓ１１０９）。そして主制御部２０は、ステップＳ１１０１にて選択されたテレビ単語をメールの本文に入力する（Ｓ１１１１）。
【０１３０】
ステップＳ１１０１にて選択されたテレビ単語に対応付けられたキャプチャ画像がない場合（Ｓ１１０１のＮｏ）や、ステップＳ１１０５にて取得されたキャプチャ画像が添付可能でなかった場合（Ｓ１１０７のＮｏ）は、主制御部２０は、キャプチャ画像を添付せずに、ステップＳ１１０１にて選択されたテレビ単語をメールの本文に入力する（Ｓ１１１１）。
【０１３１】
例えば図２３（Ａ）に示すように、ステップＳ１１０１にて、変換候補表示欄３４に表示されているテレビ単語である「麻婆豆腐」が選択された場合には、ステップＳ１１０５にて、テレビ単語「麻婆豆腐」が登録されたときにキャプチャされたキャプチャ画像が取得され、ステップＳ１１０９にて、メールにこのキャプチャ画像が添付される。
【０１３２】
このようにして携帯電話機１は、視聴中のテレビ放送番組の番組情報４０や字幕情報４１に対してキャプチャ画像を対応付けて記憶しておくことで、テレビ視聴機能とメール機能とが同時に起動されている最中に、メール画面３２にテレビ単語の入力があった場合に、このテレビ単語に対応付けられて記憶されているキャプチャ画像を、その作成メールに添付する。
【０１３３】
なお、テレビ放送番組に関する情報から、入力変換候補としての単語抽出を行わず、過去数画面分の字幕データを文字列として記憶部２３に記憶しておき、図２４（Ａ）に示すように、メール作成時に添付ファイルとして提示して、ユーザにより字幕データが選択された場合に、図２４（Ｂ）に示すように、作成メールにテキストファイル（例えばＴＶ２００８０７０７．ｔｘｔ）として添付するようにしても良い。
【０１３４】
第２実施形態によると、テレビ機能とメール機能とを同時に起動して、テレビ画面とメール画面とを同時に表示しているときに、テレビ放送番組に関する番組情報４０や字幕情報４１、及び画面に表示された画像情報を、メール機能で使用できるようにすることで、キー入力効率を向上させることが可能となる。
【０１３５】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、携帯ゲーム機、携帯テレビ等、テレビ視聴機能やメール機能を備えた電子機器であれば、任意の電子機器であって良い。
【符号の説明】
【０１３６】
１…携帯電話機，１０…上筐体，１１…下筐体，１２…ヒンジ部，１３…ディスプレイ，１４…スピーカ，１５…操作キー，１６…マイクロフォン，２０…主制御部，２１…電源回路部，２２…表示制御部，２３…記憶部，２４…外部メモリ接続部，２５…音声制御部，２６…通信制御部，２６ａ…アンテナ，２７…テレビ受信部，２７ａ…チューナ，２７ｂ…アンテナ，２７ｃ…復調部，２７ｄ…ＴＳデコーダ，２７ｅ…字幕デコーダ，２８…映像再生制御部，２９…タイマー部，３０…表示画面，３１…テレビ画面，３２…メール画面，３３…本文入力欄，３４…変換候補表示欄，３５…予測変換タブ，３６…テレビ情報タブ，３７…入力候補表示欄，４０…番組情報，４１…字幕情報，４２…単語情報，４３…読み仮名情報。
【図１】
2010226490.tif 000003
【図２】
2010226490.tif 000004
【図３】
2010226490.tif 000005
【図４】
2010226490.tif 000006
【図５】
2010226490.tif 000007
【図６】
2010226490.tif 000008
【図７】
2010226490.tif 000009
【図８】
2010226490.tif 000010
【図９】
2010226490.tif 000011
【図１０】
2010226490.tif 000012
【図１１】
2010226490.tif 000013
【図１２】
2010226490.tif 000014
【図１３】
2010226490.tif 000015
【図１４】
2010226490.tif 000016
【図１５】
2010226490.tif 000017
【図１６】
2010226490.tif 000018
【図１７】
2010226490.tif 000019
【図１８】
2010226490.tif 000020
【図１９】
2010226490.tif 000021
【図２０】
2010226490.tif 000022
【図２１】
2010226490.tif 000023
【図２２】
2010226490.tif 000024
【図２３】
2010226490.tif 000025
【図２４】
2010226490.tif 000026